(57)【要約】【課題】  複数折りクッション体であっても、圧縮押出す際に経路内で、カバーの連結部が搬送ロールの引張りに耐えられずに破損することなく、圧縮および巻き取りをスムーズに行うことが可能な複数折りクッション体の圧縮梱包方法を提供する。【解決手段】  複複数の袋状部材と連結部から構成されているカバーの各々の袋状部材にクッション体が収納されて、その連結部において折り畳むことができるように構成された複数折りクッション体の片面又は両面の少なくとも一部を不織布等のシートで覆った状態のまま圧縮した後、その圧縮体を、複数本の送りロールが配設されて構成された概略円筒状体の内部空間に移送し、該複数本の送りロールの回転により巻回させることで渦巻状に巻き取り、その渦巻状のまま、該内部空間の一方の開口端に設置された筒部材の外側端部にセットされた袋に梱包する複数折りクッション体の圧縮梱包方法。【選択図】  図３
2018043772.tif 000002
【特許請求の範囲】
【請求項１】
複数の袋状部材が連結して構成されているカバーの各々の袋状部材にクッション材が収納されて、前記連結部において折り畳み可能に構成された複数折りクッション体の片面又は両面の少なくとも一部を不織布、織布又は編布製のシートで覆った状態のまま圧縮した後、
前記圧縮体を、複数本の送りロールが母線方向に間隔をあけて配設されて構成された概略円筒状体の内部空間に移送し、該複数本の送りロールの回転により巻回させることで渦巻状に巻き取り、次いで、
その渦巻状のまま、該内部空間の一方の開口端に設置された筒部材の外側端部にセットされた袋に梱包する複数折りクッション体の圧縮梱包方法であって、
前記シートは、合成繊維、半合成繊維又は天然繊維のモノフィラメントまたはマルチフィラメントからなり、かつ、目付量が８〜３０ｇ／ｍ２であることを特徴とするクッション体の圧縮梱包方法。
【請求項２】
複数折りクッション体は、片面がシートで覆われ、シートが外側になるように２つ折りにした状態で圧縮したことを特徴とする請求項１に記載の複数折りクッション体の圧縮梱包方法。
【請求項３】
シートは、複数折りクッション体の隣接するクッション材同士の少なくとも一部分に跨って設置していることを特徴とする請求項１又２に記載の複数折りクッション体の圧縮梱包方法。
【発明の詳細な説明】
【技術分野】
【０００１】
本発明は、合成樹脂発泡体からなるクッション体を圧縮して梱包する方法に関し、特に、複数に折り畳むことができるカバー付きクッション体（以下、「複数折りクッション体」と記すこともある。）であっても、圧縮および巻き取りをスムーズに行うことができる圧縮梱包方法に関する。
【背景技術】
【０００２】
マットレス、敷ふとん、敷パッドなどの寝具に用いられる合成樹脂発泡体からなるクッション体は、その嵩高い構造から、保管スペースや輸送上で問題になることがある。
本願出願人は、先に、多孔質帯状弾性シート（１）を、巻取軸（３）と剛体（４）とで挟持・圧縮させながら、該巻取軸（３）に巻き取ることで略円柱状体とし、限られた場所での保管や輸送を可能とし、取扱性を向上する方法を提案している（特許文献１参照）。
【０００３】
また、近年、合成樹脂発泡体からなるクッション体を梱包するに際し、図１に示すような圧縮巻取り装置１０が多用されてきている。
図１は、従来公知の圧縮巻取り装置１０の一例を模式的に説明するための図であり、装置１０は、少なくとも、搬送ベルト６０、少なくとも１対（図中では１対）の圧縮ロール４０，４０、概略円筒状体５０１の外周面を構成するように、その母線方向に沿って間隔をあけて配設された複数本（図中では８本）の送りロール５０，５０，…５０を有する。
【０００４】
従来、このような圧縮巻取り装置１０では、
まず、複数折りクッション体２は、搬送ベルト６０上に載せられ、圧縮ロール４０，４０間で圧縮された後、
送りロール５０，５０，…５０で構成された概略円筒状体５０１の内部空間ｓに圧縮されたまま挿入され、そこで、各送りロール５０の矢印の方向（図中では反時計回り）への回転に伴い、該回転とは逆回りに巻回し、渦巻状に巻き取られるものであり、
通常、その渦巻状体が緩まないうちに、袋（不図示）に梱包され、或いはバンド等を利用して渦巻き状体が保持される。
【０００５】
ところが、上記のような装置１０では、複数のクッション材を連結部を有するカバーに収納した複数折りクッション体に使用すると、圧縮押出す際に経路内で、カバーの連結部が搬送ロールの引張りに耐えられずに破損してしまうという懸念があった。
【先行技術文献】
【特許文献】
【０００６】
【特許文献１】特公昭４６−１０３０６号公報
【発明の概要】
【発明が解決しようとする課題】
【０００７】
本発明は、以上の点を考慮し、複数折りクッション体であっても、圧縮押出す際に経路内で、カバーの連結部が搬送ロールの引張りに耐えられずに破損することなく、圧縮および巻き取りをスムーズに行うことが可能な複数折りクッション体の圧縮梱包方法の提供を課題とする。
【課題を解決するための手段】
【０００８】
本発明は、複数の袋状部材と連結部から構成されているカバーの各々の袋状部材にクッション体が収納されて、その連結部において折り畳むことができるように構成された複数折りクッション体の片面又は両面の少なくとも一部を不織布、織布又は編布製のシートで覆った状態のまま圧縮した後、その圧縮体を、複数本の送りロールが母線方向に間隔をあけて配設されて構成された概略円筒状体の内部空間に移送し、該複数本の送りロールの回転により巻回させることで渦巻状に巻き取り、次いで、その渦巻状のまま、該内部空間の一方の開口端に設置された筒部材の外側端部にセットされた袋に梱包する複数折りクッション体の圧縮梱包方法であって、前記シートは、合成繊維、半合成繊維又は天然繊維のモノフィラメントまたはマルチフィラメントからなり、かつ、目付量が８〜３０ｇ／ｍ２であることを特徴とする。
また、複数折りクッション体は、片面がシートで覆われ、そのシートが外側になるように２つ折りにした状態で圧縮してもよい。
加えて、シートは、隣接するクッション体同士の少なくとも一部に跨って設置するようにしてもよい。
【発明の効果】
【０００９】
本発明の圧縮梱包方法は、複数折りクッション体を圧縮する前に、該複数折りクッション体の片面又は両面を特定のシートで覆うことで、複数折りクッション体の滑り性が向上し、圧縮押出す際に、カバーの連結部が送りロールの引張に耐えられずに破損するといった事態は生じず、圧縮および巻き取りをスムーズに行うことができる。
【図面の簡単な説明】
【００１０】
【図１】従来公知の圧縮巻取り装置の一例を模式的に説明する図である。
【図２】（Ａ）は、複数折りクッション体の概略斜視図、（Ｂ）は、（Ａ）のA-A線断面矢視図である。
【図３】本発明の方法において、複数折りクッション体の両面をシートで覆う一例を説明する概略斜視図である。
【図４】（Ａ）〜（Ｃ）は、複数折りクッション体の片面又は両面をシートで覆う他の例を説明する概略斜視図である。
【図５】隣接するクッション体同士の一部分を覆う例を説明する概略斜視図である。
【図６】本発明の方法において、圧縮、巻き取り後の略円柱状体の一例を説明する概略斜視図である。
【図７】送りロールの構成の一例を説明するための図である。
【図８】本発明の方法において、筒部材の外側端部にセットされた袋の状態の一例を説明する図である。
【発明を実施するための形態】
【００１１】
本発明の圧縮梱包方法は、
ｉ）図２に示すように、複数の袋状の収納部材２０１が連結して構成されているカバー２０に合成樹脂発泡体からなるクッション材２１１、２１２、２１３を収納したものであって、前記連結部２０２において折り畳み可能に構成されており、図３〜図５に示すように、この複数折りクッション体２の片面又は両面を不織布、織布又は編布製シート（以下、単に「シート」とも言う）で覆った状態のまま圧縮した後、
ｉｉ）この圧縮体を、複数本の送りロールが母線方向に間隔をあけて配設されて構成された概略円筒状体の内部空間に移送し、該複数本の送りロールの回転により巻回させることで図６に示すような渦巻状に巻き取り、次いで、
ｉｉｉ）その渦巻状のまま、図８に示すように、該内部空間の一方の開口端に設置された筒部材の外側端部にセットされた袋に梱包する方法である。
上記ｉ）の圧縮やｉｉ）の巻き取りについては、例えば、前述の図１に例示するような従来公知の圧縮巻取り装置１０を用いて行えばよいが、本発明では、例えば、図３，４に示すように、複数折りクッション体２の片面又は両面を、後述するような特定のシート３で覆ってから圧縮する。
【００１２】
図３は、本発明の方法において、図２に示すような複数折りクッション体２の両面を、２枚のシート３，３で覆う一例を説明する概略斜視図である。
図中、符号ｘは複数折りクッション体２の幅、符号ｙは同長さ、符号ｚは同高さ（厚み）を、それぞれ示す。
【００１３】
ｉ）圧縮
本発明の方法では、前述の従来方法、すなわち、図１中の搬送ベルト６０の上に、クッション体２をそのまま載置する方法と異なり、例えば、図３に示すように複数折りクッション体２の片面又は両面（図３中では両面）をシート３で覆った状態のまま、搬送ベルト６０上に載置し、１ないし複数対の圧縮ロール４０，４０で圧縮する。
【００１４】
本発明では、図４（Ａ）に示すように、片面を１枚のシート３で覆った複数折りクッション体２を、長さｙ方向に沿って該シート３ごと２つ折りにしてから、前記搬送ベルト６０上に載置することもできる。また、図４に記載はしていないが、片面を１枚のシート３で覆った複数折りクッション体２を、幅ｘ方向に沿って該シート３ごと２つ折りにしてもよい。
図４（Ａ）の例では、複数折りクッション体２を１枚のシート３の上に置き、長さｙ方向の中央位置で該シート３ごと複数折りクッション体２を２つ折りにすることで、複数折りクッション体２の両面を該シート３で覆う状態の他の例を示しているが、２つ折りにした複数折りクッション体２の片面（図４（Ｂ）参照）又は両面（図４（Ｃ）参照）をシート３で覆ったものを、搬送ベルト６０上に載置してもよい。
さらに、本発明では、クッション体の物性によっては、複数折りクッション体２を、内３つ折りや外３つ折りにして、その片面又は両面を１ないし２枚のシートで覆うこともできる。 
【００１５】
本発明は、図５に示すように、隣接するクッション材２１１と２１２、２１２と２１３に跨って、前記クッション材の外周にテープ状のシート３、３を巻き付けた構成としてもよい。
本発明の効果を発揮するためには、クッション材２１１、２１２、２１３の表面積の１０％以上をシート３で覆うような構成とする必要がある。
なお、カバー２０の開口部２０３にファスナー(不図示)が付いている場合には、圧縮・巻き取りの過程で、カバー２０が前記ファスナーに引っ掛かり、破損してしまう事があるので、ファスナーをシート３で覆うことによって、破損を防ぐことができる。
【００１６】
ｉｉ）巻き取り
次に、シート３で片面又は両面を覆ったまま圧縮した複数折りクッション体２を、図１に示したような概略円筒状体５０１の内部空間ｓに挿入し、複数本の送りロール５０，５０，…５０を回転させることで、それら回転とは逆方向に巻回させ、図６に示すような渦巻状に巻き取る。以下、このシート３と共に渦巻状に巻き取られた態様を「略円柱状体７」と称することがある。
なお、図１では、図示していないが、各送りロール５０の表面に、図７に示すような爪状の突起８１を少なくとも１つ設けることで（図７では２つ）、複数折りクッション体２の追従性や巻回性を高めてもよい。
【００１７】
このように、本発明では、複数折りクッション体２が、シート３で片面又は両面を覆ったまま、圧縮押出す際に、このシート３により滑り性が向上し、連結部２０２に過大な引張力が生じないため、連結部２０２が破損することなく概略円筒状体５０１の内部空間ｓ内にて良好に巻回することができる。
【００１８】
図６は、本発明の方法において、ｉ）圧縮、ｉｉ）巻き取り後の略円柱状体７の一例を説明する概略斜視図であり、図中、符号ｄは略円柱状体７の直径、符号ｈは同高さを、それぞれ示す。
高さｈは、通常、クッション体２の幅ｘとほぼ等しくなるが、例えば、図４（Ａ）〜（Ｃ）に示すように２つ折りにしてから圧縮する場合には、約ｘ／２となる。
【００１９】
ｉｉｉ）梱包
本発明では、図６に示すような渦巻状のまま袋（図６では、非図示）に梱包する。梱包後の袋の口は、渦巻状体の緩みを防止する点、衛生面などから、熱ラミネートなどにより密封することが好ましい。
図１では、図示していないが、圧縮巻取り装置１０は、巻き取り後の略円柱状体７を内部空間ｓから押し出すためのピストン部材や、該ピストン部材により押し出された略円柱状体７を受け止める筒部材（図８中、符号５１を付した点線で描画した部材）を有している。図８において、上記の梱包用の袋７１は、この筒部材５１の外側端部に、袋７１の開口部を挿入してセットする。
なお、筒部材５１および袋７１の径を変えることで、渦巻状の略円柱状体７の径ｄをさらに圧縮することもできる。
【００２０】
＜シート＞
以上のようなシート３は、不織布、織布又は編布であって、合成繊維のモノフィラメントまたはマルチフィラメントからなり、かつ、目付量が８〜３０ｇ／ｍ２のものを用いる。
目付量が小さすぎると、強度不足となり、巻き取り途中でシートがカバーとともに破れてしまうことがある。なお、シートが破れたとしても、カバー材の損傷がなければ、問題はない。また、目付量が大きすぎると、コシ（不織布自体の形状記憶性）が強く、梱包作業性が低下して複数折りクッション体２を良好に覆うことができないうえ、輸送時の軽量化やコストの観点からも好ましくない。
【００２１】
合成繊維のモノフィラメント（単繊維からなる構造）またはマルチフィラメント（数十本の単繊維を撚り合わせた構造）としては、ポリエステル、ポリオレフィン、ナイロン、ポリウレタンなどが挙げられる。綿などの天然繊維、レーヨン、キュプラなどの再生繊維、アセテートなどの半合成繊維を用いた場合には、強度が低く、巻き取り途中でカバーとともに破損しまうことがある。
【００２２】
特に不織布は、織布や編布に比べ裁断時のホツレが少なく、引っ張られる方向によって強度が低くなるというようなことがなく好適である。
不織布のＪＩＳ Ｌ１９１３に準拠する引張強さは、タテ(ＭＤ)が３０Ｎ／５ｃｍ以上、ヨコ(ＣＤ)が１０Ｎ／５ｃｍ以上であり、伸び率は、タテ(ＭＤ)が２５％以上、ヨコ(ＣＤ)が２０％以上の各範囲であると、巻き取り途中で破れ難くなり、好ましい。
【００２３】
なお、シート３が、不織布、織布又は編布でなく、例えば合成樹脂フィルムからなる場合、巻き取り工程において、複数折りクッション体との摩擦抵抗が低すぎて、該フィルムのみが送りロールの回転に追従し巻回し、フィルムの材質によっては、強度が低く、巻き取り途中で破れてしまうことがある。
【００２４】
また、図３，図４（Ｃ）に示すように、２枚のシート３，３を用いる場合には、各シート３は、構成、素材、物性などにおいて、同一でも異なっていてもよい。
【００２５】
＜複数折りクッション体＞
複数折りクッション体２は、図２（Ａ）,（Ｂ）に示すように、複数の袋状の収納部材２０１、２０１、２０１が連結部２０２、２０２を介して連結して構成されているカバー２０に合成樹脂発泡体からなるクッション材２１１、２１２、２１３を収納したものであって、連結部２０２において折り畳み可能に構成されている。
図２（Ａ）,（Ｂ）に示すカバーは、隣接する袋状の収納部材の上端同士又は下端同士を連結部２０２によって連結しているが、これに限らず、上端と下端、側端同士など様々な連結方法を採ることができる。
図２（Ａ）,（Ｂ）は、３つ折りを示すが、これに限られず２つ折りでも４つ折り以上でもよい。なお、カバー２０に開口部２０３を設けて、クッション体を着脱自在にしてもよい。
カバー２０の材質としては、ポリエチレン、ポリプロピレン、ポリエステル、麻、ナイロン、ポリ塩化ビニル、レーヨン、絹、綿、キュプラなどが使用できる。また、カバーの目付量は、１２０〜１９０ｇ／ｍ２が好ましい。
クッション材は、マットレス、敷ふとん、敷パッドなどの寝具に用いられる合成樹脂発泡体からなるものであれば、素材やサイズについては、特に限定されない。素材としては、例えば、軟質ポリウレタンフォーム、軟質ポリエチレンフォーム等が挙げられる。
【００２６】
＜袋＞
図６に示すような略円柱状体７を梱包するための、図８に示すような袋７１については、特に限定されず、例えば、厚みが０．０５〜０．１０ｍｍ程度のポリオレフィンフィルムを好適に用いることができる。
上記ポリオレフィンとしては、ポリエチレン、ポリプロピレンなどが挙げられる。
【実施例】
【００２７】
［マットレスの種類とカバー、シートの検討］
実施例１、比較例１〜４
図２に示す３つ折りのマットレス（複数折りクッション体）のカバー２０の材質を、ポリエステルの織布とし、シートは目付量１５ｇ／ｍ２のポリエステル、ポリオレフィン又はポリウレタンの不織布とし、図１に示すような圧縮巻取り装置１０にて、圧縮と巻き取りを行ったものを実施例１とした。マットレスに収納しているクッション材２１１、２１２、２１３は、軟質ポリウレタンフォームである。また、マットレスが１枚で構成されている軟質ポリウレタンフォームにカバーを使用しないものを比較例１、カバー（織布）を使用したものを比較例２、また、３つ折りマットレスにカバー（織布）のみしたものを比較例３、４とした。
カバー２０の材質に対する巻き取り性を検討した結果について、表１、表２に併せて示す。
【００２８】
【表１】
2018043772.tif 000003
【００２９】
【表２】
2018043772.tif 000004
【００３０】
［シートの材質と巻き取り性の検討］
実施例２〜４、比較例５〜８
図２に示す３つ折りのマットレス（複数折りクッション体）のカバー２０の材質をポリエステルの織布とし、表３に示す材質のシート３（目付量１５ｇ／ｍ２）でマットレスを覆って、図１に示すような圧縮巻取り装置１０を使用して、圧縮と巻き取りを行った。また、マットレスに収納しているクッション体２１１、２１２、２１３は、軟質ポリウレタンフォームである。
シート３の種類と巻取り性を検討した結果について、表３に合わせて示す。
【００３１】
【表３】
2018043772.tif 000005
【００３２】
［シートの目付量と巻き取り性の検討］
実施例５〜９、比較例９
実施例１のシートの目付量を、表４に示すとおりに変更した以外は、実施例１と同様に、圧縮と巻き取りを行った。
シート３の種類と巻取り性を検討した結果について、表４に合わせて示す。
【００３３】
【表４】
2018043772.tif 000006
カバーをポリエステル以外のポリオレフィン、麻、ナイロン、ポリ塩化ビニル、レーヨン、キュプラ等にした場合も同様の結果であった。
【産業上の利用可能性】
【００３４】
本発明は、嵩高い複数折りクッション体における保管や運搬などを、効率的に行うための圧縮梱包方法として好適に利用され得る。
【符号の説明】
【００３５】
２          複数折りクッション体
２０        カバー
２０１      袋状部材
２０２      連結部
２０３      開口部
２１１、２１２、２１３      クッション材
３          シート
７          略円柱状体
１０        圧縮巻取り装置
４０        圧縮ロール
５０        送りロール
５０１      概略円筒状体
５１        筒部材
６０        搬送ベルト
７１        袋
８１        爪状の突起
ｓ          送りロールの内部空間
ｄ          略円柱状体の直径
ｈ          略円柱状体の高さ
ｘ          クッション体の幅
ｙ          クッション体の長さ
ｚ          クッション体の高さ（厚み）
【図１】
2018043772.tif 000007
【図２】
2018043772.tif 000008
【図３】
2018043772.tif 000009
【図４】
2018043772.tif 000010
【図５】
2018043772.tif 000011
【図６】
2018043772.tif 000012
【図７】
2018043772.tif 000013
【図８】
2018043772.tif 000014